(57)【要約】【課題】アナログ信号の多重化による映像の品質劣化、及び音声の品質劣化を低減した画像転送装置を提供することを目的としている。【解決手段】画像転送装置において、異なる二つ以上の音声信号等のアナログ信号を、それぞれ異なる搬送波で周波数変調を施しアナログ信号周波数変調信号を得、それぞれの該アナログ信号周波数変調信号の基本波のみを抽出し、全ての該アナログ信号周波数変調信号の基本波同士を多重化してアナログ信号周波数変調多重化信号とし、該アナログ信号周波数多重化信号の基本波のみを抽出した後、映像信号と多重化する画像転送装置とする。【選択図】　　　図２
2004007595.tif 000002
【特許請求の範囲】
【請求項１】
画像転送装置において、異なる二つ以上の音声信号等のアナログ信号を、それぞれ異なる搬送波で周波数変調を施しアナログ信号周波数変調信号を得、それぞれの該アナログ信号周波数変調信号の基本波のみを抽出し、全ての該アナログ信号周波数変調信号の基本波同士を多重化してアナログ信号周波数変調多重化信号とし、該アナログ信号周波数多重化信号の基本波のみを抽出した後、映像信号と多重化することを特徴とする画像転送装置。
【発明の詳細な説明】
【０００１】
【発明の属する技術分野】
本発明は、画像転送装置に関するものである。
【０００２】
【従来の技術】
画像を転送する装置において、映像信号と音声信号を同時に転送しようとする場合、映像信号と音声信号をアナログ的に多重化し転送する方法がよく用いられる。一般的に、音声信号は映像信号が使用していない周波数領域の搬送波で周波数変調し、映像信号に加算し多重化される。たとえば、転送しようとする映像信号がＮＴＳＣ方式であった場合、映像信号が使用している周波数領域は４ＭＨｚ以下であるため、音声信号は、４．５ＭＨｚ〜６ＭＨｚのいずれかの周波数を用い周波数変調し、映像信号に加算し多重信号を得る。
【０００３】
音声信号はステレオ等に対応するため、２つ以上になる場合もあり、２つ以上の場合、それぞれの音声信号をそれぞれの異なる周波数により周波数変調し、映像信号に加算し多重信号を得る。
【０００４】
図１は従来技術による画像転送装置の映像音声多重化回路を示す図であり、映像信号と２つの音声信号を多重化する映像音声多重化回路を示している。図１において、１０１および１０２は音声信号入力端子、１０３は映像信号入力端子、１０４および１０５は音声周波数変調回路、１０６、１０７および１０８は低域通過フィルタ、１０９は映像音声加算回路、１１０は出力端子である。
【０００５】
２つの音声信号は、映像信号が使用していない周波数領域で、かつ互いに干渉しない搬送波を用いて音声周波数変調回路１０４および１０５により周波数変調された後、それぞれ低域通過フィルタ１０７、１０８にて搬送波の基本波のみを抽出し、映像音声加算回路１０９に入力される。映像信号は映像信号入力端子１０３より入力され、低域通過フィルタ１０６にて映像信号に必要な周波数領域のみを抽出し、映像音声加算回路１０９に入力される。映像音声加算回路１０９では映像信号と２つの音声周波数変調信号を加算し、映像音声多重化信号として、出力端子１１０より出力される。
【０００６】
【発明が解決しようとする課題】
しかし、図１に示すような回路で音声信号に対してアナログ的な変調や映像音声多重化を行う際、周波数変調に使用された搬送波の基本波以外に、２つの音声周波数変調の搬送波の差に相当する不要な周波数成分や、２つの音声周波数変調の搬送波の高調波同士の差に相当する不要な周波数成分が発生する。たとえば２つの音声周波数変調の搬送波を５．５ＭＨｚと５．７ＭＨｚとすると、それらの差の周波数成分０．２ＭＨｚ、さらに、２倍高調波同士の差０．４ＭＨｚ等、基本波およびそれらの２倍、３倍などの高調波の各種組み合わせにより多くの不要周波数成分を発生する。
【０００７】
これら不要な周波数成分は、映像が使用している周波数領域内入ってしまうため、映像に妨害を与え映像品質を落としてしまう。
【０００８】
多重化しようとする信号が多くなれば、組み合わせは多数あり、多数の不要な周波数成分が発生し、映像の品質はさらに落ちる事となる。
【０００９】
さらに、不要な周波数を少なくするためには、周波数変調に使用される搬送波の電圧レベルを低くする必要が生じる。このことは音声信号を周波数変復調する際に影響を与え、結果的に音声の品質を落とすことにつながってしまう。
【００１０】
本発明は、アナログ信号の多重化による映像の品質劣化、及び音声の品質劣化を低減した画像転送装置を提供することを目的としている。
【００１１】
【課題を解決するための手段】
画像転送装置において、異なる二つ以上の音声信号等のアナログ信号を、それぞれ異なる搬送波で周波数変調を施しアナログ信号周波数変調信号を得、それぞれの該アナログ信号周波数変調信号の基本波のみを抽出し、全ての該アナログ信号周波数変調信号の基本波同士を多重化してアナログ信号周波数変調多重化信号とし、該アナログ信号周波数多重化信号の基本波のみを抽出した後、映像信号と多重化する画像転送装置とする。
【００１２】
本発明による画像転送装置は、映像信号と複数のアナログ信号を多重化する多重化回路部に、複数のアナログ信号周波数変調回路、アナログ信号加算回路、アナログ信号映像加算回路、複数の帯域通過フィルタを有し、映像信号と複数のアナログ信号を多重化する過程において、アナログ信号周波数変調回路は、映像信号と干渉しない周波数のそれぞれの搬送波でそれぞれのアナログ信号を周波数変調し、アナログ信号と同数のアナログ信号周波数変調信号を得る。アナログ信号周波数変調信号には、周波数変調する過程において発生する高調波が含まれているため、帯域通過フィルタ等を通過させ、高調波を取り除き基本波のみを抽出する。
【００１３】
次に複数のアナログ信号周波数変調信号の基本波は、アナログ信号加算回路により加算され、アナログ信号周波数多重化信号を得る。アナログ信号周波数多重化信号は、多重化する過程において発生するそれぞれのアナログ信号周波数変調波の差に相当する周波数成分、及びそれぞれのアナログ信号周波数変調波の高調波の差に相当する周波数成分を含んでいるため、帯域通過フィルタ等を通過させ、基本波のみを抽出する。
【００１４】
次に映像アナログ信号加算回路により、映像信号とアナログ信号周波数多重化信号を加算し映像アナログ信号多重化信号を得る。得られた映像アナログ信号多重化信号は、周波数変調及び多重化による映像への妨害が低減された信号となる。
【００１５】
【発明実施の形態】
本発明による画像転送装置における映像音声多重化回路の一実施例を図２に示す。図２において、２０１および２０２は音声信号入力端子、２０３は映像信号入力端子、２０４および２０５は音声周波数変調回路、２０６、２０７および２０８は低域通過フィルタ、２０９は音声加算回路、２１０は帯域通過フィルタ、２１１は映像音声加算回路、２１２は出力端子である。
【００１６】
音声入力端子２０１および２０２より入力された２つの音声信号は、それぞれ、音声周波数変調回路２０４、２０５により、映像信号が使用していない周波数領域で、かつ互いに干渉しない搬送波を用いて周波数変調される（以降、音声周波数変調信号とする）、２つの音声周波数変調信号はおのおの低域通過フィルタ２０７および２０８に入力される。低域通過フィルタ２０７および２０８では、おのおの２つの音声周波数変調信号の基本波のみを抽出し、音声加算回路２０９に入力する。音声加算回路２０９は２つの音声周波数変調信号の基本波を加算し多重化して出力する（以降、音声多重化信号とする）。
【００１７】
ここで、音声多重化信号は、前述の通り、音声周波数変調信号の基本波以外に、２つの音声周波数変調信号の差に相当する不要な周波数成分や、２つの音声周波数変調信号の高調波同士の差に相当する不要な周波数成分が含まれている。たとえば、音声周波数変調信号を５．５ＭＨおよび５．７ＭＨｚとすると、２つの信号の差に相当する周波数成分０．２ＭＨｚ、さらに２倍高調波同士の差０．４ＭＨｚ等、基本波およびそれらの２倍、３倍などの高調波の各種組み合わせにより多くの不要周波数成分が音声多重化信号に含まれている。
【００１８】
音声加算回路２０９から出力された音声多重化信号は、帯域通過フィルタ２１０に入力される。帯域通過フィルタ２１０では２つの音声周波数変調信号の基本波のみを通過させ出力し、映像音声加算回路２１１に入力される。
【００１９】
帯域通過フィルタ２１０の出力は、音声周波数変調信号の基本波を含んでおり、不要な周波数成分は含んでいない。また、２つの音声周波数変調信号は互いに干渉しない搬送波のため、音声周波数変調信号の情報が損なわれることもない。言い換えれば、映像に妨害を与える周波数成分のみを除去したこととなる。
【００２０】
一方、映像信号は、映像信号入力端子２０３より入力され、低域通過フィルタ２０６にて映像信号に必要な周波数領域のみを抽出し、映像音声加算回路２１１に入力される。映像音声加算回路２１１は入力された２つの信号、すなわち映像信号と音声多重化信号を加算、多重化し、映像音声多重化信号として出力端子２１２から出力する。
【００２１】
得られた映像音声多重化信号は、加算される音声多重化信号に、映像に妨害を与える周波数成分がないため、映像に妨害を与えることがない。すなわち、アナログ信号の多重化による映像の品質劣化を低減した画像転送装置を提供することが可能となる。
【００２２】
さらに、音声多重化信号に、映像に妨害を与える周波数成分がないため、音声多重化信号の電圧レベルを高くすることが可能となり、音声の周波数変復調による品質劣化を低減した画像転送装置を提供することが可能となる。
【００２３】
本実施例では、音声信号を２つとして説明したが、３つ以上でも同様に適用できる。すなわち、おのおのの音声信号を、それぞれ周波数変調し音声周波数変調信号を得、音声周波数変調信号の基本波のみを抽出し、全ての音声周波数変調信号の基本波同士を多重化し音声多重化信号を得、音声多重化信号の基本波のみを抽出した後、映像信号と多重化すれば良い。
【００２４】
また、本実施例では音声信号で説明したが、アナログ信号であればアナログ信号の種類、用途を問わず実施可能である。
【００２５】
さらに、本実施例では、基本波を取り出す手段として低域通過フィルタおよび帯域通過フィルタで説明をしたが、基本波が取り出せることが可能であれば低域通過フィルタ、高域通過フィルタ、帯域通過フィルタ等の種類は問わず実現可能である。
【００２６】
【発明の効果】
本発明によれば、アナログ信号の多重化による映像の品質劣化を低減した画像転送装置を提供することが可能となる。
【００２７】
音声等のアナログ多重化信号に、映像に妨害を与える周波数成分がないため、音声等のアナログ多重化信号の電圧レベルを高くすることが可能となり、音声等のアナログ信号の変復調による品質劣化を低減した画像転送装置を提供することが可能となる。
【図面の簡単な説明】
【図１】従来技術による画像転送装置の映像音声多重化回路を示す図
【図２】本発明による画像転送装置における映像音声多重化回路の一実施例を示す図
【符号の説明】
１０１　音声信号入力端子
１０２　音声信号入力端子
１０３　映像信号入力端子
１０４　音声周波数変調回路
１０５　音声周波数変調回路
１０６　低域通過フィルタ
１０７　低域通過フィルタ
１０８　低域通過フィルタ
１０９　映像音声加算回路
１１０　出力端子
２０１　音声信号入力端子
２０２　音声信号入力端子
２０３　映像信号入力端子
２０４　音声周波数変調回路
２０５　音声周波数変調回路
２０６　低域通過フィルタ
２０７　低域通過フィルタ
２０８　低域通過フィルタ
２０９　音声加算回路
２１０　帯域通過フィルタ
２１１　映像音声加算回路
２１２　出力端子
【図１】
2004007595.tif 000003
【図２】
2004007595.tif 000004